(57)【要約】【課題】  省スペースで端子カバーのヒンジ部を効率よく配置し、さらに組立時における端子カバーの組付け状態を視認でき、組立性および品質の向上を促す電子機器を提供すること。【解決手段】  外部端子用の開口部を有する第一の外装カバー部材と第一のカバー部材と隣接する第二の外装カバー部材と外部端子を覆い開閉可能に支持された端子カバーとを有する電子機器において、前記端子カバーを引き出す際に移動を制限するための規制部を有し、前記規制部は前記第一の外装カバーを装置本体に組付けた際に少なくとも一部が視認可能に露出し、前記第二の外装カバーを装置本体に組付けた際に覆われるよう構成したことを特徴とする電子機器。【選択図】  図６（ａ）
2013120196.tif 000002
【特許請求の範囲】
【請求項１】
外部端子用の開口部を有する第一の外装カバー部材（３）と
第一のカバー部材（３）と隣接する第二の外装カバー部材（２）と
外部端子を覆い開閉可能に支持された端子カバー（１１）と
を有する電子機器において、
前記端子カバー（１１）を引き出す際に移動を制限するための規制部（１６ｆ）を有し、
前記規制部（１６ｆ）は前記第一の外装カバー（３）を装置本体に組付けた際に少なくとも一部が視認可能に露出し、前記第二の外装カバー（２）を装置本体に組付けた際に覆われるよう構成した
ことを特徴とする電子機器。
【請求項２】
前記端子カバー（１１）は前記規制部（１６ｆ）で案内されるガイド部（１１ｂ）を有し、
前記第一の外装カバー部材（３）を装置本体に組付けた際に前記ガイド部（１１ｂ）の少なくとも一部が前記第一の外装カバー部材（３）に覆われるよう構成したことを特徴とする請求項１に記載の電子機器。
【請求項３】
前記規制部（１６ｆ）は、電池収納部（１６）に形成された凸形状である
ことを特徴とする請求項１又は請求項２に記載の電子機器。
【請求項４】
ストラップ固定用のストラップ固定部（３ａ）が
第一の外装カバー部材（３）、第二の外装カバー部材（２）の少なくとも一方に形成されている電子機器において、
前記ストラップ固定部（３ａ）は電子機器の側面の中央に、
かつ前記端子カバー部材（１１）と同一面に配置されている
ことを特徴とする請求項１乃至請求項３の何れか１項に記載の電子機器。
【請求項５】
前記ストラップ固定部（３ａ）および前記端子カバー部材（１１）が配置される側面は
電子機器を保持するグリップ側である
ことを特徴とする請求項４に記載の電子機器。
【請求項６】
前記端子カバー（１１）は、少なくともヒンジ部（１１ａ）およびガイド部（１１ｂ）が軟質材で形成されることを特徴とする請求項１乃至請求項５の何れか１項に記載の電子機器。
【請求項７】
ストラップ固定用のストラップ固定部材（１７）を有する電子機器において、
前記端子カバー（１１）を引き出す際に移動を制限するための規制部（１７ｃ）を有し、
前記規制部（１７ｃ）は、ストラップ固定部材（１７）に形成された凸形状であることを特徴とする請求項１に記載の電子機器。
【発明の詳細な説明】
【技術分野】
【０００１】
本発明は、外部端子部分を覆うカバー部材を有した電子機器に関する。
【背景技術】
【０００２】
ビデオカメラ、デジタルカメラ、携帯電話端末などの電子機器は、一般に他の機器と信号やデータの授受を行うための通信ケーブルを接続可能な外部端子を備えている。このような外部端子は、外部端子の内部、特に接点部に埃や水分などの異物が付着すると接触不良となり、データや信号の通信が行えなくなる可能性がある。そのため、電子機器には外部端子を隠蔽可能な端子カバーを備えていることが多い。
【０００３】
近年、小型・薄型化が進んでいるデジタルカメラでは、デジタルカメラ本体を出来るだけ薄く構成するために、投影上レンズユニットとは重ならない位置に回路基板を配置することが主流となっている。一方、回路基板上に配置される外部端子コネクタは、デジタルカメラ本体の外部に露出する必要があるため、グリップ側の側面に配置される傾向がある。
【０００４】
また、ハンドストラップ等をデジタルカメラ本体に固定するためのストラップ固定部も、外部端子コネクタ同様にレンズユニットから離れたグリップ側に配置されることが多い。特にストラップによってデジタルカメラ本体を吊り下げる時のバランス上、ストラップ固定部はグリップ側の中央部に配置されることが望ましい。
【０００５】
上述のように、外部端子コネクタと端子カバーおよびストラップ固定部は共にデジタルカメラ本体のグリップ側の側面に配置されるため、端子カバーを開閉するために用いられる端子カバーのヒンジ部はストラップ固定部を避けて配置する必要があり、デジタルカメラの小型・薄型化が進むにつれ、端子カバーの配置には十分なスペースを得ることが困難になってきている。
【０００６】
特許文献１には、デジタルカメラに搭載されている端子カバーの構成が開示されている。
【先行技術文献】
【特許文献】
【０００７】
【特許文献１】特開２００６−２０１２５１号公報
【発明の概要】
【発明が解決しようとする課題】
【０００８】
上述の特許文献１に開示された従来技術では、端子カバーの移動を制限するための係止部のストッパーとなる部品を別途設けており、部品点数が多くなり、スペースもかさむという問題点がある。またデジタルカメラ本体の組立時に、外装カバーの一部を組付けると外装カバーが端子カバーのヒンジ部を覆ってしまうため、端子カバーのヒンジ部が所定の位置に正しく配置されているか視認することが出来ず、組立に問題があっても、検出することが難しい。
【０００９】
本発明の目的は、省スペースで端子カバーのヒンジ部を効率よく配置し、さらに組立時における端子カバーの組付け状態を視認でき、組立性および品質の向上を促す電子機器を提供することである。
【課題を解決するための手段】
【００１０】
上記目的を達成するために、本発明は、外部端子用の開口部を有する第一の外装カバー部材と第一のカバー部材と隣接する第二の外装カバー部材と外部端子を覆い開閉可能に支持された端子カバーとを有する電子機器において、前記端子カバーを引き出す際に移動を制限するための規制部を有し、前記規制部は前記第一の外装カバーを装置本体に組付けた際に少なくとも一部が視認可能に露出し、前記第二の外装カバーを装置本体に組付けた際に覆われるよう構成したことを特徴とする電子機器。
【発明の効果】
【００１１】
本発明によれば、省スペースで端子カバーのヒンジ部を効率よく配置することができ、さらに組立時における端子カバーの組付け状態を視認でき、組立性および品質の向上を提供することができる。
【図面の簡単な説明】
【００１２】
【図１】（ａ）は正面から見た外観斜視図、（ｂ）は背面から見た外観斜視図
【図２（ａ）】本発明のデジタルカメラの構成を示す分解斜視図（その１）
【図２（ｂ）】本発明のデジタルカメラの構成を示す分解斜視図（その２）
【図２（ｃ）】本発明のデジタルカメラの構成を示す分解斜視図（その３）
【図３】（ａ）、（ｂ）はそれぞれ本発明の端子カバーの正面図および背面図
【図４】端子カバーの開閉状態を示すデジタルカメラの斜視図であって、（ａ）は端子カバー閉じ状態、（ｂ）は端子カバー開き状態を表す図
【図５】本発明の端子カバーの構成を示す一部分解斜視図＜実施例１＞
【図６（ａ）】前カバーユニットを外した時の端子カバー側の側面図であって、端子カバーの移動における初期位置を表す図
【図６（ｂ）】前カバーユニットを外した時の端子カバー側の側面図であって、端子カバーの移動における略中間位置を表す図
【図６（ｃ）】前カバーユニットを外した時の端子カバー側の側面図であって、端子カバーの移動におけるＳＴＯＰ位置を表す図
【図７】本発明の端子カバーの構成を示す一部分解斜視図＜実施例２＞
【発明を実施するための形態】
【００１３】
［実施例１］
以下に、本発明の好ましい実施の形態を、添付の図面に基づいて詳細に説明する。
【００１４】
本実施例では、デジタルカメラを例に挙げているが、外部端子コネクタおよび端子カバーを有する電子機器であれば、同様に適用可能である。
【００１５】
図１は、本発明の実施形態にかかわる外観図で図１（ａ）は正面から見た斜視図、図１（ｂ）は背面から見た斜視図である。
【００１６】
図１（ａ）（ｂ）において、カメラ本体１は前面を前カバー２に、背面を後ろカバー３に覆われている。カメラ本体１の前面中央には複数のレンズによって構成される撮影レンズを保持する鏡筒４がある。鏡筒４は撮影レンズを光軸方向に移動させることにより、ズーム倍率や焦点距離を変更可能にする。鏡筒４の右上にはストロボの発光窓５があり、被写体が暗い時に必要に応じて発光させる。
【００１７】
カメラ本体１の上面には、電源ボタン６、レリーズボタン７、ズームレバー８が設けられている。
【００１８】
電源ボタン６を押すとデジタルカメラは休止状態から抜け出し、鏡筒４は図１（ａ）に示した収納状態から光軸方向に所定量繰り出し、デジタルカメラが撮影可能な状態に変化する。さらに撮影可能な状態にあるとき、レリーズボタン７を押すと撮影が行われる。
【００１９】
図１（ｂ）に示すように、カメラ本体１の背面には液晶表示器９が設けてある。
【００２０】
液晶表示器９は撮影する被写体像の確認や、撮影された画像の再生表示に用いられる。液晶表示器９の横には、操作ボタン群１０が設けられている。操作ボタン群１０には、十字キーも含まれている。操作ボタン群１０は、撮影条件の変更、液晶表示装置の表示形態の変更、再生画面への切換えといった機能を指示する際に利用する。カメラ本体１の鏡筒から離れた側の側面には外部接続端子を埃などから守るために外部接続端子を保護する端子カバー１１が設けられている。外部接続端子には、例えばＵＳＢ、ＨＤＭＩなどの接続用コネクタがある。本発明の実施例では端子カバー１１はカメラ本体１に収納された状態で、後ろカバー３と連続的に同一曲面になるように構成されている。端子カバー１１が配置される側面および隣接する面は、撮影者がカメラ本体１を把持する際のグリップ部となる。１２は、電源となる主電池（使い切り式一次電池のほかに充電式電池も含む、不図示）および信号処理された被写体像が記録される記録媒体（不図示）を収納する収納室を開閉可能とする蓋部材である。この蓋部材１２を開くことにより、収納室開口部が開き状態となって電池及び記録媒体の各々の挿脱が可能になる。
【００２１】
１３は、電池に替えて外部電力を供給するためのアダプターを収容した場合にアダプターから伸びるコードをカメラ本体１の外側へ引き出すために開く扉部材である。
【００２２】
次に、図２（ａ）（ｂ）を参照して、本発明の第１の実施例におけるデジタルカメラの構成について説明する。
【００２３】
図２（ａ）は本発明のデジタルカメラの構成を示す背面側から見た分解斜視図である。
【００２４】
図２（ｂ）は鏡筒ユニット２００、ストロボユニット３００、メインシャーシ１４との位置決めを示す背面側から見た展開斜視図である。
【００２５】
図２（ｃ）は操作ユニット５００、電池ケースユニット４００、メインユニット６００とストロボ操作基板４２の位置決めを示す展開斜視図である。
【００２６】
図２において、カメラ本体１は大きく分けて、前カバーユニット１００、鏡筒ユニット２００、ストロボユニット３００、電池ケースユニット４００、メインユニット５００、操作ユニット６００、液晶表示器９、後ろカバーユニット７００から構成されている。
【００２７】
前カバーユニット１００は、前カバー２と外観意匠性を高めるための化粧リング（不図示）が貼り合わされている。鏡筒ユニット２００は撮影レンズ等を保持する鏡筒４を備えるユニットである。鏡筒ユニット２００には、撮影レンズユニット（不図示）を光軸に平行に移動させるための駆動源となるモーターを装備したギアユニット（不図示）が一体となるよう組付けられている。
【００２８】
鏡筒ユニット２００は、背面に設けられた２本の位置決めピン２０１ａ・２０１ｂとメインシャーシ１４の垂直面１４ｃに設けられた位置決め孔１４ａ・１４ｂで位置決めされ、メインシャーシ１４にビス止め固定される。
【００２９】
ストロボユニット３００はストロボ発光部３０１、ストロボ基板３０２、ストロボケース３０３などから構成され、ストロボケース３０３に設けられた１本の位置決めピン３０３ａとメインシャーシ１４の垂直面１４ｃに設けられた位置決め孔１４ｄで位置決めされ、メインシャーシ１４にビス止め固定される。
【００３０】
鏡筒ユニット２００とストロボ発光部３０１をメインシャーシ１４の同一面、垂直面１４ｃに取り付けることで、鏡筒ユニット２００に対するストロボ発光部３０１の光学性能が保障される。
【００３１】
電池ケースユニット４００は電池ケース１６・メイン配線基板１７、電池蓋１２などから構成され、電池ケース１６に設けられた２本の位置決めピン１６ａ・１６ｂとメインシャーシ１４の垂直面１４ｃに設けられた位置決め孔１４ｅ・１４ｆで位置決めされ、メインシャーシ１４にビス止め固定される。
【００３２】
メインユニット５００はメインシャーシ１４、サブシャーシ１５、ＦＰＣ５０１などから構成されている。サブシャーシ１５は光軸に垂直な面を持っており、電池ケース１６に設けられた２本の位置決めピン１６ｃ・１６ｄとサブシャーシ１５の垂直面１５ｃに設けられた位置決め孔１５ａおよび位置決め部１５ｂで位置決めされ、メインシャーシ１４と電池ケースユニット４００とにビス止め固定される。ＦＰＣ５０１にはサブシャーシ１５に設けられた数個の位置決めピン（不図示）と勘合する位置決め穴が設けられており、ＦＰＣ５０１はサブシャーシ１５の形状に沿って折り曲げられて配置される。
【００３３】
操作ユニット６００はレリーズボタン７などを含む操作ボタンとボタンを保持する操作ベース６０１から構成されている。
【００３４】
操作ベース６０１の背面側および正面側に備えられた２ヶ所の穴（不図示）に対して、それぞれサブシャーシ１５の背面側および正面側に備えられた２ヶ所の爪部（不図示）を勘合させ、さらにサブシャーシ１５の平行面１５ｄに操作ベース６０１の引っかけ爪部（不図示）を引っ掛けることにより操作ユニット６００はサブシャーシ１５に固定される。
【００３５】
液晶表示器９はおおよそ四方を囲ったメインシャーシ１４に嵌るようになっており、両面テープ１４ｇでメインシャーシ１４に固定される。
【００３６】
後ろカバーユニット７００は電源ボタン６、複数の操作ボタン群１０、端子カバー１１などから構成されている。
【００３７】
前カバーユニット１００および後ろカバーユニット７００はストロボユニット３００などのユニットを組付けられたメインシャーシ１４を前後から覆うデザイン形状をとっている。
【００３８】
次に、図３〜６を参照して、本発明の端子カバー１１の構成について説明する。
【００３９】
図３（ａ）（ｂ）は本発明の端子カバー１１の詳細図である。
【００４０】
図４（ａ）（ｂ）は本発明の端子カバーの開閉状態を示すデジタルカメラの斜視図である。
【００４１】
図５は本発明の端子カバーの構成を示す一部分解斜視図である。
【００４２】
図６（ａ）（ｂ）（ｃ）は本発明の前カバーユニットを外した時の端子カバー側の側面図であり、それぞれ端子カバーの移動における初期位置、略中間位置、ＳＴＯＰ位置の状態を示す。
【００４３】
端子カバー１１には端子カバー１１を開く際に弾性的に変形するヒンジ部１１ａがあり、先端にはカメラ本体１から引き出す際に、移動を制限するための長穴のガイド部１１ｂが設けられている。
【００４４】
後ろカバー３には端子カバー１１のヒンジ部１１ａを通す穴３ｂが設けられている。穴３ｂにおいて、穴幅（光軸と略平行な方向）はヒンジ１１部ａの最大幅より小さく、穴高さ（光軸に略垂直な方向）はヒンジ部１１ａの最大幅より大きい形状となっている。これは後ろカバーユニット７００の組立時に、端子カバー１１が後ろカバー３から安易に抜けないようにするためである。
【００４５】
また、端子カバー１１には端子カバー１１をカメラ本体１に収納時に浮き上がりを防止するための２ヶ所のフック１１ｃ・１１ｄが設けてあり、フック１１ｃ・１１ｄは後ろカバー３に設けられた穴３ｃ・３ｄにフッキングされる。
【００４６】
後ろカバー３には端子カバー１１が配置されるカメラ本体１の同一側面上で端子カバー１１の下側に、ストラップ固定部３ａが設けられている。デジタルカメラにストラップ紐（不図示）を通す時、ストラップ紐はストラップ固定部３ａに通すが、ストラップ紐を通しやすいように電池ケース１６に設けられたストラップ用窪み１６ｅには緩やかな傾斜が設けられている。
【００４７】
ヒンジ部１１ａは、電池ケース１６に設けられたストラップ用窪み１６ｅを避けるような形状をとっている。ガイド部１１ｂには電池ケース１６に設けられた規制部１６ｆが挿通される。
【００４８】
端子カバー１１は後ろカバーユニット７００に組付けられた状態で、各ユニットが組付けられたメインシャーシ１４に組付ける。この時、端子カバー１１のヒンジ部１１ａおよびガイド部１１ｂは後ろカバー３と電池ケース１６の間に挟まれるような形で配置される。端子カバー１１のガイド部１１ｂは一部を後ろカバー３に覆われ、ガイド部１１ｂに挿通されている規制部１６ｆは一部あるいは全てを後ろカバー３に覆われないようになっている。規制部１６ｆの高さはガイド部１１ｂの厚みよりも高くなっており、ガイド部１１ｂが安易に抜けないようになっている。これにより組立時において、後ろカバー３の組立て後に、ガイド部１１ｂに規制部１６ｆが挿通されているかどうかを視認することができ、組立による作業性および品質向上を促すことができる。さらに、ガイド部１１ｂの一部を後ろカバー３が覆うことでガイド部１１ｂの浮きを押さえ、組立時にガイド部１１ｂが規制部１６ｆから抜けて外れる事を防止することができる。
【００４９】
端子カバー１１を開けて引っ張ると、端子カバー１１は後ろカバー３の通り穴３ｂと規制部１６ｆを結ぶ直線を略接線とする略円弧に沿って動く。電池ケース１６には、電池ケース１６上をスライドするガイド部１１ｂがスムーズに動くようにするため、レール１６ｇが設けられている。
【００５０】
ヒンジ部１１ａの形状は、移動時およびＳＴＯＰ時においても、ガイド部１１ｂの一部は後ろカバー３に覆われるようになっている。また、ガイド部１１ｂの形状は移動時に前カバー２に当接して移動の妨げとならないよう、前カバー２の曲面に略平行になっている。
【００５１】
［実施例２］
上記第１実施形態の変形である。
【００５２】
図７は本発明の端子カバーの構成を示す一部分解斜視図である。
【００５３】
例えば金属の外装カバーの場合、ストラップ固定部と後ろカバー３とを一体に形成することが難しく、ストラップ固定用のストラップ固定部材１７を別に設ける構成となる。
【００５４】
ストラップ固定部材１７に設けられた穴１７ａが電池ケース１６に設けられた位置決め部１６ｈと勘合している。ストラップ固定部材１７はストラップ固定部１７ｂと規制部１７ｃを有している。ストラップ固定部１７ｂは後ろカバー３に設けられたストラップ固定部用の開口部３ｅと勘合する。
【００５５】
実施例１と同様に、端子カバー１１のガイド部１１ｂに規制部１７ｃが挿通される。
【００５６】
また、規制部１７ｃは一部あるいは全てを後ろカバー３に覆われないようになっている。
【符号の説明】
【００５７】
３        後ろカバー
３ａ    ストラップ固定部
１１    端子カバー
１１ａ  ヒンジ部
１１ｂ  ガイド部
１６    電池ケース
１６ｆ  規制部（第１の実施例）
１７    ストラップ固定部材
１７ｃ  規制部（第２の実施例）
【図１】
2013120196.tif 000003
【図２（ａ）】
2013120196.tif 000004
【図２（ｂ）】
2013120196.tif 000005
【図２（ｃ）】
2013120196.tif 000006
【図３】
2013120196.tif 000007
【図４】
2013120196.tif 000008
【図５】
2013120196.tif 000009
【図６（ａ）】
2013120196.tif 000010
【図６（ｂ）】
2013120196.tif 000011
【図６（ｃ）】
2013120196.tif 000012
【図７】
2013120196.tif 000013